【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
被写体からの光線が所定の面に入射した際の該面上での位置情報と前記面に入射した角度情報とを含む符号化された光線情報を復号する復号方法であって、
被写体撮影時に得られ前記被写体に関連する、符号化された第１の画像情報と前記第１の画像情報とは異なる種類の符号化された第２の画像情報とを復号する復号工程と、
前記復号された第１の画像情報と第２の画像情報とに基づいて前記光線情報を生成する光線情報生成工程と、
前記生成された光線情報に基づいて、前記被写体が撮影された時のフォーカス値である第１のフォーカス値に対応した画像情報を生成する第１の画像生成工程と、
前記生成された第１のフォーカス値に対応した画像情報を記憶部に記憶する第１の記憶工程と、
前記記憶された第１のフォーカス値に対応した画像情報に対応した画像を表示する第１の表示工程と、
前記生成された光線情報に基づいて、前記第１のフォーカス値とは異なるフォーカス値である第２のフォーカス値に対応した画像情報を生成する第２の画像生成工程と、
前記生成された第２のフォーカス値に対応した画像情報を前記記憶部に記憶する第２の記憶工程と、
を有し、
前記第２の画像生成工程は、前記第１の表示工程と並行してあるいは前記第１の表示工程よりも前に実行されることを特徴とする復号方法。
【請求項２】
ユーザの指示に基づいて、前記記憶された第２のフォーカス値に対応した画像情報を表示する第２の表示工程と、
前記第２の表示工程と並行して実行され、前記生成された光線情報に基づいて、前記第１のフォーカス値および前記第２のフォーカス値とは異なるフォーカス値である第３のフォーカス値に対応した画像情報を生成する第３の画像生成工程と、
前記生成された第３のフォーカス値に対応した画像情報を前記記憶部に記憶する第３の記憶工程と、
をさらに有し、
前記第２の表示工程と前記第３の画像生成工程とは、ユーザの指示に基づいて、繰り返し実行されることを特徴とする請求項１に記載の復号方法。
【請求項３】
前記第１のフォーカス値および前記第２のフォーカス値の各々は、予め離散的に規定された複数のフォーカス値の中の一つであることを特徴とする請求項１に記載の復号方法。
【請求項４】
前記第２のフォーカス値は、前記第１のフォーカス値に対して近距離側または遠距離側に隣接するフォーカス値であることを特徴とする請求項１または３に記載の復号方法。
【請求項５】
ユーザの指示に基づいて、前記第２のフォーカス値として任意のフォーカス値を指定するフォーカス値指定工程をさらに有することを特徴とする請求項１または３に記載の復号方法。
【請求項６】
前記記憶部に記憶されている前記画像情報のうち、前記表示中の画像を生成する基になった画像情報に対応したフォーカス値に対して隣接していないフォーカス値に対応した画像情報を消去する画像消去工程をさらに有することを特徴とする請求項２または５に記載の復号方法。
【請求項７】
前記各フォーカス値に対応して生成された画像情報の中から、ユーザの指示に従った画像情報を選択する画像選択工程と、
前記選択された画像情報に対して空間周波数変換に基づく符号化処理を施す符号化工程と、
前記符号化処理が施された画像情報を記録媒体に記録する記録工程と、
をさらに有することを特徴とする請求項１または６に記載の復号方法。
【請求項８】
前記復号工程において、前記符号化された第２の画像情報は、前記復号された第１の画像情報に基づいて復号されることを特徴とする請求項１に記載の復号方法。
【請求項９】
前記復号工程において、前記符号化された第１の画像情報は、空間周波数変換に対応した復号処理によって復号され、前記符号化された第２の画像情報は、ＬＺ符号化に対応した復号処理によって復号されることを特徴とする請求項１に記載の復号方法。
【請求項１０】
前記光線情報を生成することに先立って、被写体撮影時に得られ、前記被写体に関連する符号化されたサムネイル画像データを復号するサムネイル画像復号工程と、
前記復号されたサムネイル画像データに対応したサムネイル画像を表示するサムネイル画像表示工程と、
をさらに有し、
前記光線情報生成工程は、前記表示されたサムネイル画像を指示選択することにより実行されることを特徴とする請求項１に記載の復号方法。
【請求項１１】
被写体からの光線が所定の面に入射した際の該面上での位置情報と前記面に入射した角度情報とを含む符号化された光線情報に応じた画像データを復号する復号方法であって、
被写体撮影時に得られ、前記符号化された光線情報を構成する第１の画像情報を復号して、前記画像データを構成する複数の２次元ブロックデータの各々に対応する第１のピクセルデータを生成し、
前記複数の２次元ブロックデータの各々について、当該２次元ブロックデータの前記第１のピクセルデータに基づいて前記符号化された光線情報を構成する第２の画像情報を復号して、第２のピクセルデータを生成し、
前記生成した第１のピクセルデータと、前記生成した第２のピクセルデータとに基づいて、前記被写体が撮影された時のフォーカス値である第１のフォーカス値に対応した画像データを生成し、
前記生成した第１のフォーカス値に対応した画像データを記憶部に記憶し、
前記記憶した第１のフォーカス値に対応した画像データを表示し、
前記第１のピクセルデータおよび前記第２のピクセルデータに基づいて、前記第１のフォーカス値とは異なるフォーカス値である第２のフォーカス値に対応した画像データを生成し、
前記生成した第２のフォーカス値に対応した画像データを前記記憶部に記憶する、
ことを特徴とする復号方法。
【請求項１２】
被写体からの光線が所定の面に入射した際の該面上での位置情報と前記面に入射した角度情報とを含む符号化された光線情報を復号する復号装置であって、
被写体撮影時に得られ、前記被写体に関連する符号化された第１の画像情報と前記第１の画像情報とは異なる種類の符号化された第２の画像情報とを復号して前記光線情報を生成する復号手段と、
前記生成された光線情報に基づいて、前記被写体が撮影された時の第１のフォーカス値に対応した画像情報を生成して記憶部に記憶させる第１の画像生成手段と、
前記第１の画像生成手段が生成した前記画像情報に応じた画像を表示する表示手段と、
前記復号手段が生成した前記光線情報に基づいて、前記第１のフォーカス値とは異なるフォーカス値である第２のフォーカス値に対応した画像情報を生成して前記記憶部に記憶させる第２の画像生成手段と、
を具備することを特徴とする復号装置。
【請求項１３】
被写体からの光線が所定の面に入射した際の該面上での位置情報と前記面に入射した角度情報とを含む符号化された光線情報を復号する復号プログラムであって、
被写体撮影時に得られ前記被写体に関連する、符号化された第１の画像情報と前記第１の画像情報とは異なる種類の符号化された第２の画像情報とを復号する手順と、
前記復号された第１の画像情報と第２の画像情報とに基づいて前記光線情報を生成する手順と、
前記生成された光線情報に基づいて、前記被写体が撮影された時のフォーカス値である第１のフォーカス値に対応した画像情報を生成する手順と、
前記生成された第１のフォーカス値に対応した画像情報を記憶部に記憶する手順と、
前記生成された前記第１の画像情報に対応した画像を表示する手順と、
前記生成された光線情報に基づいて、前記第１のフォーカス値とは異なるフォーカス値である第２のフォーカス値に対応した画像情報を生成する手順と、
前記生成された第２のフォーカス値に対応した画像情報を前記記憶部に記憶する手順と、
をコンピュータに実行させるための復号プログラム。
【手続補正２】
【補正対象書類名】明細書
【補正対象項目名】発明の名称
【補正方法】変更
【補正の内容】
【発明の名称】復号方法、復号装置、及び復号プログラム
【手続補正３】
【補正対象書類名】明細書
【補正対象項目名】０００１
【補正方法】変更
【補正の内容】
【０００１】
本発明は、プレノプティックカメラ(Plenoptic Camera)で撮像され符号化された画像を復号する復号方法、復号装置、および復号プログラムに関する。
【手続補正４】
【補正対象書類名】明細書
【補正対象項目名】００１１
【補正方法】変更
【補正の内容】
【００１１】
本発明の第１の目的は、符号化された光線情報を復号して画像情報を生成し、当該画像情報を基に複数のフォーカス値の画像を効率的に生成および表示できる復号方法、復号装置および復号プログラムを提供することである。
【手続補正５】
【補正対象書類名】明細書
【補正対象項目名】００１２
【補正方法】変更
【補正の内容】
【００１２】
上述した従来技術の問題点を解決し、上述した目的を達成するため、第１の観点の発明の復号方法は、被写体からの光線が所定の面に入射した際の該面上での位置情報と前記面に入射した角度情報とを含む符号化された光線情報を復号する復号方法であって、被写体撮影時に得られ前記被写体に関連する、符号化された第１の画像情報と前記第１の画像情報とは異なる種類の符号化された第２の画像情報とを復号する復号工程と、前記復号された第１の画像情報と第２の画像情報とに基づいて前記光線情報を生成する光線情報生成工程と、前記生成された光線情報に基づいて、前記被写体が撮影された時のフォーカス値である第１のフォーカス値に対応した画像情報を生成する第１の画像生成工程と、前記生成された第１のフォーカス値に対応した画像情報を記憶部に記憶する第１の記憶工程と、前記記憶された第１のフォーカス値に対応した画像情報に対応した画像を表示する第１の表示工程と、前記生成された光線情報に基づいて、前記第１のフォーカス値とは異なるフォーカス値である第２のフォーカス値に対応した画像情報を生成する第２の画像生成工程と、前記生成された第２のフォーカス値に対応した画像情報を前記記憶部に記憶する第２の記憶工程とを有し、前記第２の画像生成工程は、前記第１の表示工程と並行してあるいは前記第１の表示工程よりも前に実行されることを特徴とする。
【手続補正６】
【補正対象書類名】明細書
【補正対象項目名】００１３
【補正方法】変更
【補正の内容】
【００１３】
また、第２の観点の発明の復号方法は、被写体からの光線が所定の面に入射した際の該面上での位置情報と前記面に入射した角度情報とを含む符号化された光線情報に応じた画像データを復号する復号方法であって、被写体撮影時に得られ、前記符号化された光線情報を構成する第１の画像情報を復号して、前記画像データを構成する複数の２次元ブロックデータの各々に対応する第１のピクセルデータを生成し、前記複数の２次元ブロックデータの各々について、当該２次元ブロックデータの前記第１のピクセルデータに基づいて前記符号化された光線情報を構成する第２の画像情報を復号して、第２のピクセルデータを生成し、前記生成した第１のピクセルデータと、前記生成した第２のピクセルデータとに基づいて、前記被写体が撮影された時のフォーカス値である第１のフォーカス値に対応した画像データを生成し、前記生成した第１のフォーカス値に対応した画像データを記憶部に記憶し、前記記憶した第１のフォーカス値に対応した画像データを表示し、前記第１のピクセルデータおよび前記第２のピクセルデータに基づいて、前記第１のフォーカス値とは異なるフォーカス値である第２のフォーカス値に対応した画像データを生成し、前記生成した第２のフォーカス値に対応した画像データを前記記憶部に記憶することを特徴とする。
【手続補正７】
【補正対象書類名】明細書
【補正対象項目名】００１４
【補正方法】変更
【補正の内容】
【００１４】
また、第３の観点の発明の復号装置は、被写体からの光線が所定の面に入射した際の該面上での位置情報と前記面に入射した角度情報とを含む符号化された光線情報を復号する復号装置であって、被写体撮影時に得られ、前記被写体に関連する符号化された第１の画像情報と前記第１の画像情報とは異なる種類の符号化された第２の画像情報とを復号して前記光線情報を生成する復号手段と、前記生成された光線情報に基づいて、前記被写体が撮影された時の第１のフォーカス値に対応した画像情報を生成して記憶部に記憶させる第１の画像生成手段と、前記第１の画像生成手段が生成した前記画像情報に応じた画像を表示する表示手段と、前記復号手段が生成した前記光線情報に基づいて、前記第１のフォーカス値とは異なるフォーカス値である第２のフォーカス値に対応した画像情報を生成して前記記憶部に記憶させる第２の画像生成手段とを具備することを特徴とする。
【手続補正８】
【補正対象書類名】明細書
【補正対象項目名】００１５
【補正方法】変更
【補正の内容】
【００１５】
また、第４の観点の発明の復号プログラムは、被写体からの光線が所定の面に入射した際の該面上での位置情報と前記面に入射した角度情報とを含む符号化された光線情報を復号する復号プログラムであって、被写体撮影時に得られ前記被写体に関連する、符号化された第１の画像情報と前記第１の画像情報とは異なる種類の符号化された第２の画像情報とを復号する手順と、前記復号された第１の画像情報と第２の画像情報とに基づいて前記光線情報を生成する手順と、前記生成された光線情報に基づいて、前記被写体が撮影された時のフォーカス値である第１のフォーカス値に対応した画像情報を生成する手順と、前記生成された第１のフォーカス値に対応した画像情報を記憶部に記憶する手順と、前記生成された前記第１の画像情報に対応した画像を表示する手順と、前記生成された光線情報に基づいて、前記第１のフォーカス値とは異なるフォーカス値である第２のフォーカス値に対応した画像情報を生成する手順と、前記生成された第２のフォーカス値に対応した画像情報を前記記憶部に記憶する手順とをコンピュータに実行させる。
【手続補正９】
【補正対象書類名】明細書
【補正対象項目名】００１６
【補正方法】削除
【補正の内容】